(57)【要約】
【課題】本考案は、名刺と書類とを挟持する場合に容易に一体化でき、且つ、金属製のクリップ類等好ましくない産業廃棄物を生じさせることなく、名刺自体の面白さ斬新性を図ることができるクリップ付名刺を提供する。
【解決手段】本考案のクリップ付名刺は、氏名等所要事項を表示した名刺本体２と、その一部を切開して形成した書類クリップ用のクリップ片３とを有し、名刺と所要の書類とを挟持する場合に前記クリップ片３を使用することで、金属製のクリップやホッチキス針の使用を無くすものである。
【選択図】図１
0003101187.tif 000002
【実用新案登録請求の範囲】
【請求項１】
名刺本体にクリップ片を設けたことを特徴とするクリップ付名刺。
【請求項２】
氏名等所要事項を表示した名刺本体と、この名刺本体の一部を切開して形成した書類クリップ用のクリップ片とを有することを特徴とするクリップ付名刺。
【請求項３】
前記名刺本体に形成したクリップ片は、単数又は複数であることを特徴とする請求項１又は２記載のクリップ付名刺。
【請求項４】
前記名刺本体は、横型又は縦型であることを特徴とする請求項１乃至３のいずれかに記載のクリップ付名刺。
【請求項５】
前記名刺本体の外周部には、微小凹凸部又は微小波形部が形成されていることを特徴とする請求項１乃至４のいずれかに記載のクリップ付名刺。
【請求項６】
氏名等所要事項を表示した名刺本体と、この名刺本体の中央部分を囲むようにして切開して形成した書類クリップ用のクリップ片とを有し、クリップ片を形成する名刺本体の周囲端部分を折り曲げると名刺本体を立てておくことができるようにしたことを特徴とするクリップ付名刺。
【請求項７】
前記名刺本体は、横型又は縦型であることを特徴とする請求項６記載のクリップ付名刺。
【請求項８】
前記名刺本体の外周部には、微小凹凸部又は微小波形部が形成されていることを特徴とする請求項６又は７記載のクリップ付名刺。
【考案の詳細な説明】
【技術分野】
【０００１】
本考案は、地球環境及び所謂ＰＬ法等を考え、更に名刺自体の機能拡張を図り、名刺自体の面白さ斬新性を図ることができるクリップ付名刺に関するものである。
【背景技術】
【０００２】
従来、商取引、セールス活動等を行う場合に、例えばセールスマン等が自己の名刺に所要の書類（見積書、パンフレット等）を添えて相手方（訪問先等）に渡す場合、名刺と所要の書類とを例えば金属製のクリップで止めたり、また名刺と所要の書類とを金属製のホッチキス針で止めた状態として一綴りのものとしたりして相手方に渡していた。
【０００３】
しかし、このように名刺と所要の書類とを金属製のクリップやホッチキス針で止めた状態とすると、所要の書類を使用済み廃棄処分とする際に、前記クリップやホッチキス針を取り外す危険性、煩雑さと、これらを産業廃棄物として処分しなければならないという問題があった。
【０００４】
特許文献１には、厚手の紙からなり、クリップ片を有し、更にメモスペースを形成したシート状のメモ板からなるクリップ付携帯メモが開示されている。しかし、このクリップ付携帯メモの場合、あくまでメモ機能を主体としたものであり本願考案のような名刺自体の機能拡張を図るものではない。
【０００５】
特許文献２には、名刺等を挟持可能な本体部と、この本体部を背広等の胸ポケット等に挟み込む金属製の挟持部とを有するネームプレートが開示されている。しかし、このネームプレートの場合、金属製の挟持部を有することから、ネームプレートの使用済み廃棄時に金属製の挟持部を取り外し産業廃棄物として処分しなければならなかった。
【特許文献１】登録実用新案第３０９１６００号公報
【特許文献２】特開２００１−２０９３２１号公報
【考案の開示】
【考案が解決しようとする課題】
【０００６】
解決しようとする問題点は、名刺と所要の書類とを挟持する場合に金属製のクリップやホッチキス針を使用することから好ましくない産業廃棄物を生じさせてしまうという点である。
また、解決しようとする問題点は、金属製のクリップやホッチキス（或いはホッチキス針）がない場合には、名刺と所要の書類とを挟持できないという点である。
【課題を解決するための手段】
【０００７】
本考案は、氏名等所要事項を表示した名刺本体の一部を切開して形成した書類クリップ用のクリップ片を有し、名刺と所要の書類とを挟持する場合にクリップ片を使用することで、金属製のクリップやホッチキス針の使用を無くすことを最も主要な特徴とし、また、金属製のクリップやホッチキス（或いはホッチキス針）がない場合でも、名刺と所要の書類とを極めて簡易に挟持でき、面白さや斬新性を発揮できる。
【考案の効果】
【０００８】
本考案によれば、名刺本体の一部に、この名刺本体を切開して形成した書類クリップ用のクリップ片を備えたことにより、従来のように金属製のクリップやホッチキス針の使用を不要とし、好ましくない産業廃棄物の生成を無くすことができる。また、金属製のクリップやホッチキス（或いはホッチキス針）がない場合でも、名刺と所要の書類とを極めて簡易に挟持でき、面白さや斬新性を発揮できる。
【考案を実施するための最良の形態】
【０００９】
名刺と、所要の書類とを金属類を用いずに挟持するという目的を、氏名等所要事項を表示した名刺本体の一部を切開して書類クリップ用のクリップ片を形成することで達成した。
【実施例】
【００１０】
以下に本考案のクリップ付名刺の実施例を詳細に説明する。
図１は本実施例の横型のクリップ付名刺１の平面図、図２は図１のＡ−Ａ線断面図、図３はクリップ付名刺１の部分拡大図である。
【００１１】
本実施例のクリップ付名刺１は、氏名等所要事項を表示した例えば厚手の紙製の名刺本体２と、この名刺本体２の一部である例えば左隅部近傍を略Ｕ状に切開して形成した書類クリップ用の下向きのクリップ片３とを有している。
クリップ片３は、例えばこのクリップ付名刺１の使用者が自動車のセールスマンである場合には、当該クリップ片３を自動車の形状に切開したり、また、例えばこのクリップ付名刺１の使用者がメガネ関係に従事する者である場合には、当該クリップ片３をメガネの形状に切開したりすることができる。
【００１２】
前記クリップ片３は、図３に拡大して示すように、名刺本体２の例えば左隅部近傍において、名刺本体２を略Ｕ状に切開して略Ｕ形状で根本側部分を支点として図３の矢印方向に展開（開閉）可能とするとともに、切開部分の根本両側部分にはＲ状（弧状）の小寸法の補強切開部４ａ、４ｂを設けて、クリップ片３の展開時の補強を行い、このクリップ片３の根本側部分からの破断防止を図るようになっている。
【００１３】
図４は本実施例のクリップ付名刺１の実際の使用状態を示すものであり、クリップ付名刺１のクリップ片３を根本側部分から紙面裏側に展開し、クリップ片３と名刺本体２との間に例えば見積書等の書類５を挟み込み、名刺本体２と書類５とを一綴り状態とするものである。これにより、例えばセールスマン等は、自己のクリップ付名刺１に所要の書類（見積書、パンフレット等）５を添えて相手方に渡すことができる。
また、金属製のクリップやホッチキス（或いはホッチキス針）がない場合でも、名刺と所要の書類とを極めて簡易に挟持でき、面白さや斬新性を発揮できる。
更にまた、前記書類５の使用済み廃棄を行う際には、書類５をクリップ片３と名刺本体２との間から抜き取るだけで、書類５のみの状態とすることができ、当然従来例のような金属製のクリップ等を使用していないため好ましくない産業廃棄物を生じさせる事なく当該書類５の廃棄処分を実行でき、書類５をそのままの状態で資源ゴミとしてリサイクルできる。
【００１４】
図５は、名刺本体２に上述した場合と同様の構造の例えば２個のクリップ片３、３を一定間隔で設けたクリップ付名刺１Ａを示すものであり、このクリップ付名刺１Ａによっても前記クリップ付名刺１と同様な作用、効果を発揮させることができるとともに、２個のクリップ片３、３を有することから書類５をより確実に挟持することができる。
なお、クリップ片３の形成個数は３個以上とすることも勿論可能である。
【００１５】
図６は本実施例の変形例である縦型のクリップ付名刺１Ｂを示すものであり、名刺本体２を縦にして用いる他は前記クリップ付名刺１と同様なクリップ片３を有する構成としている。このクリップ付名刺１Ｂによっても前記クリップ付名刺１と同様な作用、効果を発揮させることができる。このクリップ付名刺１Ｂにおいても、２個（又は３個以上）のクリップ片３、３を有することも勿論可能である。
【００１６】
図７は本実施例の別の変形例であるクリップ付名刺１Ｃを示すものであり、前記クリップ付名刺１と同様な構造で、且つ、名刺本体２の外周部に微小凹凸部６（又は微小波形部）を形成したことが特徴である。
前記微小凹凸部６を設けたことにより、名刺本体２の外周部が尖鋭でなくなり、名刺所有者等が指先を切るような怪我の発生を回避することができる。前記クリップ付名刺１Ａ、１Ｂについてもクリップ付名刺１Ｃと同様な構成とすることができる。
【００１７】
図８は本実施例の更に別の変形例であるクリップ付名刺１Ｄを示すものであり、名刺本体２の中央部分を囲むようにして大きく切開して大きく形成した書類クリップ用のクリップ片３Ｄを設けたクリップ付名刺１Ｄを示すものであり、このようなクリップ付名刺１Ｄによっても、前記クリップ付名刺１と同様な作用、効果を発揮させることができるとともに、大きなサイズに形成したクリップ片３Ｄを有することから、図９に示すように、クリップ片３Ｄを形成する名刺本体２の三方の周囲端部分を例えば９０度折り曲げると、名刺本体２の部分を立てておくことができる。
【００１８】
本考案は、上述した実施例の他、種々の変形が可能である。例えば、クリップ片３の形成箇所、形成寸法は上述した実施例に限定されず任意に選定可能である。また、名刺本体２としては、氏名等所要の文字のみを表示したもの、名刺本体２の表面の一部に所有者の写真を付加したもの等種々の形態のものに対して適用可能である。
【産業上の利用可能性】
【００１９】
本考案は、名刺自体に書類挟持機能を持たせるという機能拡張を図り、名刺自体の面白さ斬新性を図る他、例えば紙製のカード、ネームプレート類に書類挟持機能を持たせるという応用も可能である。
【図面の簡単な説明】
【００２０】
【図１】本実施例のクリップ付名刺の平面図である。
【図２】図１のＡ−Ａ線断面図である。
【図３】本実施例のクリップ付名刺の部分拡大図である。
【図４】本実施例のクリップ付名刺の使用状態を示す平面図である。
【図５】名刺本体に２個のクリップ片を一定間隔で設けたクリップ付名刺を示す平面図である。
【図６】変形例である縦型のクリップ付名刺を示す平面図である。
【図７】別の変形例である名刺本体の外周部に微小凹凸部を形成したクリップ付名刺を示す平面図である。
【図８】更に別の変形例であるクリップ付名刺を示す平面図である。
【図９】図８のクリップ付名刺の使用状態を示す斜視図である。
【符号の説明】
【００２１】
１    クリップ付名刺
１Ａ  クリップ付名刺
１Ｂ  クリップ付名刺
１Ｃ  クリップ付名刺
１Ｄ  クリップ付名刺
２    名刺本体
３    クリップ片
３Ｄ  クリップ片
４ａ、４ｂ  補強切開部
５    書類
６    微小凹凸部
【図１】
0003101187.tif 000003
【図２】
0003101187.tif 000004
【図３】
0003101187.tif 000005
【図４】
0003101187.tif 000006
【図５】
0003101187.tif 000007
【図６】
0003101187.tif 000008
【図７】
0003101187.tif 000009
【図８】
0003101187.tif 000010
【図９】
0003101187.tif 000011